(57)【要約】【課題】ボールを浮かせた状態で支持する可撓性支持片が破壊されにくいゴルフティーを提供する。【解決手段】地面への突き刺し部２０と、この突き刺し部２０の上部に設けられたボール載せ部３０と、このボール載せ部３０の上部に一体的に平面視放射状に複数設けられ、ボールＢをボール載せ部３０から浮かせた状態で支持する可撓性の支持片３１とを備え、ボール載せ部３０の外周面３０ａと支持片３１の外周面３１ａとを一体的に連結するリブ３２が形成されている。【選択図】        図１
2004254961.tif 000002
【特許請求の範囲】
【請求項１】
地面への突き刺し部と、この突き刺し部の上部に設けられたボール載せ部と、このボール載せ部の上部に一体的に平面視放射状に複数設けられ、ボールを前記ボール載せ部から浮かせた状態で支持する可撓性の支持片とを備えたゴルフティーであって、
前記ボール載せ部の外周面と前記支持片の外周面とを一体的に連結するリブが形成されていることを特徴とするゴルフティー。
【発明の詳細な説明】
【０００１】
【発明の属する技術分野】
本発明は、ゴルフティーに関するものである。
【０００２】
【従来の技術】
従来のゴルフティーとして、地面への突き刺し部３と、この突き刺し部３の上部に設けられたボール載せ部２と、このボール載せ部２の上部に一体的に平面視放射状に複数設けられ、ボール５を前記ボール載せ部２から浮かせた状態で支持する可撓性の支持片４とを備えたゴルフティー１が知られている。（例えば、特許文献１参照）。
【０００３】
【特許文献１】
実開平４−６１５７６号公報（第１−３図）
【０００４】
【発明が解決しようとする課題】
可撓性の支持片４はティー１にボール５を載せて打ったときにティー１とボール５との摩擦や打撃の抵抗を少なくするために、ボール５をボール載せ部２から浮かせた状態で支持するようになっているが、クラブヘッドが当たった瞬間には非常に大きな（約１トン近い）衝撃が加わるため、従来のゴルフティー１では、支持片４が、可撓性を有しているにもかかわらず、その付け根部分で破壊されボール載せ部２からとれてしまいやすいという問題がった。
【０００５】
この発明の目的は、以上のような問題を解決し、支持片が破壊されにくいゴルフティーを提供することにある。
【０００６】
【課題を解決するための手段】
上記目的を達成するために請求項１記載のゴルフティーは、地面への突き刺し部と、この突き刺し部の上部に設けられたボール載せ部と、このボール載せ部の上部に一体的に平面視放射状に複数設けられ、ボールを前記ボール載せ部から浮かせた状態で支持する可撓性の支持片とを備えたゴルフティーであって、
前記ボール載せ部の外周面と前記支持片の外周面とを一体的に連結するリブが形成されていることを特徴とする。
【０００７】
【作用効果】
請求項１記載のゴルフティーによれば、次のような作用効果が得られる。
すなわち、地面への突き刺し部と、この突き刺し部の上部に設けられたボール載せ部と、このボール載せ部の上部に一体的に平面視放射状に複数設けられ、ボールを前記ボール載せ部から浮かせた状態で支持する可撓性の支持片とを備えているので、突き刺し部を地面に突き刺し、ボール載せ部の支持片上にゴルフボールを載せてボールを打つことができる。この際、ボールは、支持片によってボール載せ部から浮かせられた状態で支持されているので、ボールを打った際のティーとボールとの摩擦や打撃抵抗が低減される。
そして、ボール載せ部の外周面と支持片の外周面とがリブで一体的に連結されているので、支持片が破壊されにくくなるという効果が得られる。
【０００８】
【発明の実施の形態】
以下、本発明の実施の形態について図面を参照して説明する。
図１は本発明に係るゴルフティーの一実施の形態を示す図で、（ａ）は平面図、（ｂ）は正面図、（ｃ）は図（ａ）におけるｃ−ｃ切断端面図、（ｄ）は突き刺し部２０とボール載せ部３０とが離れた状態を示す正面図である。
また、図２（ａ）は拡大平面図、（ｂ）は連結部材の平面図、（ｃ）は連結部材の正面図である。
【０００９】
図１に示すように、このゴルフティー１０は、地面への突き刺し部２０と、この突き刺し部２０の上部に設けられたボール載せ部３０と、このボール載せ部３０の上部に一体的に平面視放射状に複数設けられ、ボールＢをボール載せ部３０から浮かせた状態で支持する可撓性の支持片３１とを備え、ボール載せ部３０の外周面３０ａと支持片３１の外周面３１ａとを一体的に連結するリブ３２が形成されている。
【００１０】
突き刺し部２０は、硬くて高強度の汎用性合成樹脂（例えば、ポリプロピレンやポリカーボネイト等）で形成する。
【００１１】
ボール載せ部３０における支持片３１は、この実施の形態ではボール載せ部３０の上部において平面視放射状に８個設けられており、それぞれの外周面３１ａが、リブ３２でボール載せ部３０の外周面３０ａに一体的に連結されている。
別言すれば、ボール載せ部３０の外周面３０ａに８本のリブ３２が一体的に形成されており、そのリブ３２の上部３２ａ（図（ｃ）参照）が肉薄になりつつボール載せ部３０の上部に突出していることによって、支持片３１を形成している。
ボール載せ部３０は、柔軟で耐寒性、耐衝撃性、耐磨耗性に優れた高強度の透明な合成樹脂（例えばアイオノマー樹脂等）で一体成型する。したがって、このボール載せ部３０は透明である。ボール載せ部３０を透明にしない場合には、ＥＶＡ、ナイロン（登録商標）等で成形することもできる。
【００１２】
この実施の形態のゴルフティー１０は、突き刺し部２０とボール載せ部３０とが連結部材４０で連結されている。
連結部材４０は、図１（ｃ）および図２（ｂ）（ｃ）に示すように、突き刺し部２０の上部に埋め込まれた下部４１と、これと一体のチューブ状の上部４２と、この上部４２の上端部分に形成されたフランジ部４３とを有している。
ボール載せ部３０は、全体として略筒状であり、その底部には、連結部材４０の挿通穴３３（図３（ａ）（ｂ）参照）と、上記フランジ部４３と当接可能な段部３４（図３（ａ）（ｂ）参照）とが形成されている。
したがって、ボール載せ部３０は、図１（ｂ）（ｄ）に示すように、その下面３５が突き刺し部２０の上面２１に当接しあるいは上記段部３４が連結部材４０のフランジ部４３と当接する範囲内において、連結部材４０に沿ってスライド可能である。
連結部材４０の下部４１にはリング状の溝４１ａが複数本（図示のものは３本）形成されているので、連結部材４０と突き刺し部２０とは強固に連結される。
【００１３】
図２に示すように、連結部材４０のフランジ部４３には、その外周部に空気逃がし穴（図示のものは縦方向に伸びる溝状の穴）４４が複数個（図示のものは４つ）平面視で点対称状に形成されている。後述するようにして、ボールＢが打たれる際、ボール載せ部３０は図１（ｂ）に示す状態から図１（ｄ）に示す状態へと連結部材４０に沿って急速にスライドすることとなるが（図４（ｂ）参照）、この際、ボール載せ部３０内にある空気Ａ（図１（ｃ）参照）が上記逃がし穴４４を通って逃がされるため、ボール載せ部３０の上記スライドはスムーズになされることとなる。すなわち、ボールＢを打つ際のボール載せ部３０の急速なスライドがスムーズになされるため、ボール打撃時の抵抗が低減される。
なお、逃がし穴４４を設けない状態で、空気Ａを逃がしやすくすべくフランジ部４３を小径とすると、フランジ部４３とボール載せ部３０の段部３４との当接力が十分に得られなくなってボール載せ部３０が連結部材４０からすっぽ抜けやすくなるし、逆に、ボール載せ部３０の内径を大きくするとゴルフティー１０全体の外径が大きくなってしまうという問題が生じる。
連結部材４０は、柔軟で引っ張り強度の強い合成樹脂（例えばウレタン系エラストマー樹脂等）で形成する。
【００１４】
以上のようなゴルフティー１０は例えば、次のようにして作成する。
先ず、図３（ａ）から（ｂ）に示すように、ボール載せ部３０に連結部材４０を挿入する。
次いで、図３（ｃ）に示すように、金型５０のボール載せ部収納部５１にボール載せ部３０を収納するとともに、金型５０の連結部材固定部５２で連結部材４０を固定し、突き刺し部形成用のキャビティ５３に矢印Ｒで示すように合成樹脂を注入して突き刺し部２０部分を形成し、ゴルフティー１０を得る。
【００１５】
以上のようなゴルフティー１０によれば、次のような作用効果が得られる。
すなわち、地面への突き刺し部２０と、この突き刺し部２０の上部に設けられたボール載せ部３０と、このボール載せ部３０の上部に一体的に平面視放射状に複数設けられ、ボールＢをボール載せ部３０から浮かせた状態で支持する可撓性の支持片３１とを備えているので、突き刺し部２０を地面に突き刺し、図４（ａ）に示すようにボール載せ部３０の支持片３１上にゴルフボールＢを載せてボールＢを打つことができる。この際、ボールＢは、支持片３１によってボール載せ部３０から浮かせられた状態で支持されているので、ボールＢを打った際のティー１０とボールＢとの摩擦や打撃抵抗が低減される。
なお、ボール載せ部３０の支持片３１上にゴルフボールＢを載せ、ボールＢおよびボール載せ部３０を握った状態で、突き刺し部２０を地面に突き刺す際、支持片３１は広がるが、その広がりは、ボールＢがボール載せ部３０の上面３０ｂ（図１（ｂ）（ｃ）参照）に当接することで規制され、その後、手が離されると、支持片３１の復元力でボールＢがボール載せ部３０から浮いた状態に支持される。
また、ボールＢが打たれた際、ボール載せ部３０は図４（ａ）に示す状態から図４（ｂ）に示す状態へと連結部材４０に沿って急速にスライドすることとなるので、ボールＢを打った際のティー１０とボールＢとの摩擦や打撃抵抗が一層低減される。
さらに、この際、ボール載せ部３０内にある空気Ａ（図１（ｃ）参照）が連結部材４０のフランジ部４３に設けられている逃がし穴４４を通って逃がされるため、ボール載せ部３０の上記スライドはスムーズになされることとなる。すなわち、ボールＢを打つ際のボール載せ部３０の急速なスライドがスムーズになされるため、ボール打撃時の抵抗がより一層低減される。
そして、ボール載せ部３０の外周面３０ａと支持片３１の外周面３１ａとは、リブ３２で一体的に連結されているので、支持片３１が破壊されにくくなるという効果が得られる。
【００１６】
また、突き刺し部２０と連結部材４０は図３に示したようにインサート成形することにより連結部材４０の付け根の強度アップと作業性が向上される。
【００１７】
以上、本発明の実施の形態について説明したが、本発明は上記の実施の形態に限定されるものではなく、本発明の要旨の範囲内において適宜変形実施可能である。
【００１８】
【図面の簡単な説明】
【図１】本発明に係るゴルフティーの一実施の形態を示す図で、（ａ）は平面図、（ｂ）は正面図、（ｃ）は図（ａ）におけるｃ−ｃ切断端面図、（ｄ）は突き刺し部２０とボール載せ部３０とが離れた状態を示す正面図。
【図２】（ａ）は同上実施の形態の拡大平面図、（ｂ）は連結部材の平面図、（ｃ）は連結部材の正面図。
【図３】（ａ）（ｂ）（ｃ）は同上実施の形態の作成工程の一例を示す図。
【図４】（ａ）（ｂ）は使用状態説明図。
【符号の説明】
１０    ゴルフティー
２０    突き刺し部
３０    ボール載せ部
３０ａ  外周面
３１    支持片
３１ａ  外周面
３２    リブ
【図１】
2004254961.tif 000003
【図２】
2004254961.tif 000004
【図３】
2004254961.tif 000005
【図４】
2004254961.tif 000006